(57)【要約】【課題】浴室内のテレビ画面を利用し、家族相互間のコミュニケーションを豊かにする【解決手段】本発明の浴室用テレビ装置では、画面、カメラ、マイク、スピーカー及び操作スイッチを有するテレビ本体１を浴室Ｒ１に配置し、電源チューナーボックス２を居室２に配置する。入浴者はテレビ本体１の操作スイッチを操作し、カメラとマイクを用いて動画メッセージを録画する。テレビ本体１の画面上には、録画した動画メッセージが再生される。これにより、家族間のコミュニケーションが図られる。【選択図】図１
2012049828.tif 000002
【特許請求の範囲】
【請求項１】
画面、カメラ、マイク、スピーカー及び操作スイッチを有するテレビ本体と、動画メッセージを記憶するメモリ部とを具備し、入浴者による前記操作スイッチの操作に基づいて、前記カメラと前記マイクを用いて録画した入浴者の動画メッセージを前記メモリ部に記憶させるとともに、前記画面上に、記憶させた前記動画メッセージを再生させることを特徴とする浴室用テレビ装置。
【請求項２】
電源チューナーボックスと、前記テレビ本体と前記電源チューナーボックスを接続する中継コードとを更に具備し、前記電源チューナーボックスは、浴室とは別の居室側に設置されるものであって、電源部と、外部機器接続部と、地上デジタルチューナー及び地上アナログチューナーの一方を選択的に接続することのできるチューナー取付部とを有することを特徴とする請求項１に記載の浴室用テレビ装置。
【発明の詳細な説明】
【技術分野】
【０００１】
本発明は、浴室内でテレビ放送を視聴することのできる浴室用テレビ装置に関する。
【背景技術】
【０００２】
近年、親の帰宅時間が遅いために親子間のコミュニケーションが不足している世帯や、共働きであるために帰宅時間にずれが生じて夫婦間のコミュニケーションが不足している世帯が増えている。
【先行技術文献】
【特許文献】
【０００３】
【特許文献１】特開２００５−２２９４９５号公報
【発明の概要】
【発明が解決しようとする課題】
【０００４】
一方、近年は、帰宅後に入浴しながらゆっくりとテレビ放送を視聴できるように、浴室壁面等にテレビ画面を配置することが一般的となっている（特許文献１参照）。
【０００５】
つまり、近年は、家族のそれぞれは浴室内にてテレビ放送を楽しむ一方で、家族相互間のコミュニケーションは不足しているという現状がある。
【０００６】
本発明は前記問題点に鑑みて発明したものであって、家族のそれぞれがテレビ放送を視聴することのできるテレビ画面を有効活用し、家族相互間のコミュニケーションを豊かにすることを課題とする。
【課題を解決するための手段】
【０００７】
前記課題を解決するために、本発明の浴室用テレビ装置を、画面、カメラ、マイク、スピーカー及び操作スイッチを有するテレビ本体と、動画メッセージを記憶するメモリ部とを具備し、入浴者による前記操作スイッチの操作に基づいて、前記カメラと前記マイクを用いて録画した入浴者の動画メッセージを前記メモリ部に記憶させるとともに、前記画面上に、記憶させた前記動画メッセージを再生させるものとする。
【０００８】
また、本発明の浴室用テレビ装置においては、電源チューナーボックスと、前記テレビ本体と前記電源チューナーボックスを接続する中継コードとを更に具備し、前記電源チューナーボックスは、浴室とは別の居室側に設置されるものであって、電源部と、外部機器接続部と、地上デジタルチューナー及び地上アナログチューナーの一方を選択的に接続することのできるチューナー取付部とを有することが好ましい。
【発明の効果】
【０００９】
本発明は、家族のそれぞれがテレビ放送を視聴することのできるテレビ画面を有効活用し、動画メッセージによって家族相互間のコミュニケーションを豊かにすることができるという効果を奏する。
【図面の簡単な説明】
【００１０】
【図１】本発明の一実施形態の浴室用テレビ装置の説明図である。
【図２】同上の浴室用テレビ装置が備えるテレビ本体の正面図である。
【図３】同上の浴室用テレビ装置の概略システム図である。
【発明を実施するための形態】
【００１１】
本発明を、添付図面に示す実施形態に基づいて説明する。図１〜図３には、本発明の一実施形態の浴室用テレビ装置を示している。
【００１２】
図１に示すように、本実施形態の浴室用テレビ装置は、テレビ本体１と、電源チューナーボックス２とを用いて構成される。テレビ本体１は、浴室Ｒ１内に設置される。電源チューナーボックス２は、浴室Ｒ１ではなくリビング等の居室Ｒ２内に設置される。テレビ本体１と電源チューナーボックス２は、中継コード３を介して接続される。
【００１３】
図２に示すように、テレビ本体１の前面には、映像を出力する画面４を配置している。画面４は液晶パネルを利用し、アクリルなどの透明な樹脂によって、この液晶パネルを覆う防水カバー９を形成している。テレビ本体１の前面には、画面４を囲む位置にカメラ５、マイク６、スピーカー７、操作スイッチ８をさらに配置している。
【００１４】
カメラ５は、動画撮影が可能なものであり、防水カバー９で覆われて防水が施されている。マイク６は録音に用いるものであり、スピーカー７はテレビ放送等の音声出力に用いるものであり、いずれも防水カバー９に覆われている。
【００１５】
操作スイッチ８は、画面４の下方に配列された各種のスイッチにより構成される。具体的には、録画スイッチ１０、再生スイッチ１１、停止スイッチ１２、メモリー選択スイッチ１３等である。また、テレビ本体１には、動画メッセージを記憶することの可能なメモリ部（図示略）を内蔵している。
【００１６】
図３に示すように、電源チューナーボックス２は、システム制御部２０、電源部２１、チューナー取付部２２、外部機器接続部２３等を内蔵している。システム制御部２０は、浴室用テレビ装置のシステム全体を制御する。電源部２１は、テレビ本体１側とチューナー側の電源を兼ねるものであり、テレビ本体１側での感電防止を目的として低電圧（１２Ｖ程度）のＤＣ電源を備えることが好ましい。
【００１７】
チューナー取付部２２には、地上デジタルチューナーと地上アナログチューナーのうち一方が、コネクタ接続によって選択的に接続可能である。地上デジタルチューナーには、Ｂ−ＣＡＳカード・リーダーが附属している。なお、ＣＡＴＶの専用のＳＴＢを利用する場合のように、チューナーが不要である場合には、チューナー取付部２２には特にチューナーを接続する必要がない。
【００１８】
外部機器接続部２３は、ＲＣＡピンジャックにより映像と音声が接続可能なものである。外部機器接続部２３に、図１に示すＤＶＤプレーヤー３０やＣＡＴＶ会社の専用のＳＴＢ等の映像機器を接続することにより、浴室Ｒ１内のテレビ本体１の画面４上で様々な映像コンテンツを楽しむことができる。
【００１９】
浴室Ｒ１内に配置するリモコン操作部２５には、入力切替スイッチ、チャンネル切替スイッチ、各種設定スイッチ、外部機器操作スイッチ等を配しており、システムに応じた操作が可能となっている。例えば、データ放送のようにアナログ放送では使用しないスイッチに関しては、そのスイッチ操作を受信してもキャンセルを行う。また、無効なスイッチ操作である旨を画面４上に表示させることも好ましい。
【００２０】
本実施形態の浴室用テレビ装置においては、浴室Ｒ１内において個人が画面４上で各種の映像コンテンツを楽しむとともに、画面４を通じて家族間のコミュニケーションを深めることもできる。
【００２１】
例えば、父親の帰宅時には子供が就寝しているような場合には、子供が入浴中に短時間（例えば５分程度）の動画メッセージを父親宛に残しておくことができる。入浴中の子供は、テレビ本体１の録画スイッチ１０を押し、カメラ５及びマイク６を用いた動画撮影を行い、メモリ部に記憶させておく。次いで、子供が就寝後に帰宅した父親が入浴し、テレビ本体１の電源をオンにすると、画面４上には動画メッセージが記憶されている旨の通知がされる。ここでの動画メッセージがあることの通知は、画面４上の表示に限らず、マイク６からの音声出力により行ってもよいし、画面４上の表示とマイク６からの音声出力の両方で行ってもよい。
【００２２】
ここで、通知を受けた父親がテレビ本体１の再生スイッチ１１を押すと、記憶している動画メッセージが画面４上で再生される。これに対し、父親も録画スイッチ１０を押すことによって返信の動画メッセージを撮影することができる。また、録画スイッチ１０と再生スイッチ１１を同時に押せば動画メッセージを消去することもできる。
【００２３】
なお、メモリー選択スイッチ１３を用いることで、使用者ごとに複数の動画メッセージを記憶させておくことも可能である。また、音声のみのメッセージを録音・再生するように設定しても構わない。
【００２４】
以上述べたように、本実施形態の浴室用テレビ装置は、画面４、カメラ５、マイク６、スピーカー７及び操作スイッチ８を有するテレビ本体１と、動画メッセージを記憶するメモリ部とを具備する。そして、入浴者による操作スイッチ８の操作に基づいて、カメラ５とマイク６を用いて録画した入浴者の動画メッセージをメモリ部に記憶しておき、画面４上に、記憶させた動画メッセージを再生させる。
【００２５】
これにより、浴室Ｒ１内において個人が画面４上でテレビ放送を視聴できるだけでなく、このテレビ本体１の画面４を通じて動画メッセージを交換し、生活サイクルが異なる家族間のコミュニケーションを豊かにすることができる。動画メッセージによれば、文字などで行うよりも深くコミュニケーションを図ることができ、しかも、このためのシステムは浴室用テレビ装置の画面４を利用したものであるから、複雑なシステムは不要である。
【００２６】
更に、本実施形態の浴室用テレビ装置では、電源チューナーボックス２と、テレビ本体１と電源チューナーボックス２を接続する中継コード３とを更に具備する。電源チューナーボックス２は、浴室Ｒ１とは別の居室Ｒ２側に設置されるものであって、電源部２１と、外部機器接続部２３と、地上デジタルチューナー及び地上アナログチューナーの一方を選択的に接続することのできるチューナー取付部２２とを有する。
【００２７】
これにより、地上デジタル放送、地上アナログ放送、ＣＡＴＶ、インターネットテレビ等の多様な放送形態に応じて、最小限のシステムでフレキシブルに対応することができる。また、工事に関してもテレビ本体１と電源チューナーボックス２の間に中継コード３を施工する程度で済む。さらに、この電源チューナーボックス２を例えばリビングルームに設置すれば、アンテナ配線や他の映像機器との接続コードを専用で配設することが不要となり、一層の省施行が図れる。つまり、家族間のコミュニケーションを深めることと、浴室Ｒ１内で個人が多様な映像コンテンツを楽しむことが、共に実現されるのである。
【００２８】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００２９】
１  テレビ本体
２  電源チューナーボックス
３  中継コード
４  画面
５  カメラ
６  マイク
７  スピーカー
８  操作スイッチ
２１  電源部
２２  チューナー取付部
２３  外部機器接続部
Ｒ１  浴室
Ｒ２  居室
【図１】
2012049828.tif 000003
【図２】
2012049828.tif 000004
【図３】
2012049828.tif 000005